(57)【要約】【課題】答案を電子的に読み取った画像データにおいて、想定されるスペースを越えて記入される解答を参照することができ、かつ、添削に関する情報を入力することを可能とする。【解決手段】添削管理サーバ装置１０において添削対象設定記憶部２０は、答案データにおける問題ごとの座標情報を問題の番号に対応付けて記憶する。添削条件・状態記憶部２２は、添削端末に対応付けて添削端末の添削者が添削する問題の番号を記憶する。読出部１１は、添削端末からの要求を受信した場合、答案データ記憶装置６２から答案データを読み出すとともに、要求の送信元の添削端末に対応付けられる問題の番号を読み出し、読み出した問題の番号に対応する座標情報を読み出す。送受信部１９は、読み出した答案データと座標情報とを添削端末にて当該座標情報を表示開始位置として答案データが表示されるように添削端末に送信する。【選択図】図１
2008046398.tif 000002
【特許請求の範囲】
【請求項１】
解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削管理サーバ装置であって、
前記答案データにおける前記複数の問題ごとの座標情報を前記問題の番号に対応付けて記憶する第１の記憶手段と、
前記添削端末に対応付けて前記添削端末の添削者が添削する前記問題の番号を記憶する第２の記憶手段と、
前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出す読出手段と、
前記読出手段が読み出した前記答案データと前記座標情報とを前記添削端末にて当該座標情報を表示開始位置として前記答案データが表示されるように前記添削端末に送信する送信手段と、
を備えたことを特徴とする添削管理サーバ装置。
【請求項２】
前記答案データにおいて、前記添削者が前記添削端末を操作することにより前記問題に対する添削を記入可能な添削対象領域情報を前記問題の番号ごとに記憶する第３の記憶手段を備え、
前記読出手段は、
前記添削端末からの要求を受信した場合、前記答案データ記憶装置から答案データを読み出すとともに、要求の送信元の前記添削端末に対応付けられる前記問題の番号を前記第２の記憶手段から読み出し、前記問題の番号に対応する座標情報を前記第１の記憶手段から読み出し、前記前記問題の番号に対応付けられる前記添削対象領域情報を前記第３の記憶手段から読み出し、
前記送信手段は、
前記読出手段が読み出した前記答案データと前記座標情報と前記添削対象領域情報とを前記添削端末にて前記座標情報を表示開始位置として前記答案データが表示されるように前記添削端末に送信する
ことを特徴とする請求項１に記載の添削管理サーバ装置。
【請求項３】
解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削端末であって、
前記要求の応答として前記添削管理サーバ装置から前記答案データと座標情報とを受信する受信手段と、
前記受信手段が受信する前記答案データを画面に表示する際に、前記座標情報を表示開始位置として前記答案データを画面に表示し、前記添削者の画面表示に対する操作を受けた場合、当該操作に応じて前記答案データを移動させて表示する表示手段と、
前記表示手段により画面に表示される答案データに対する前記添削者の添削操作を受け、当該添削操作に基づく添削情報を入力する入力手段と、
を備えたことを特徴とする添削端末。
【請求項４】
前記座標情報は、一定の範囲の領域を示す情報であり、
前記表示手段は、
前記受信手段が受信した前記座標情報により特定される領域を前記添削者が添削情報を入力できる添削対象領域として設定し、
前記入力手段は、
前記添削対象領域の範囲内において前記添削者の添削操作を受けた場合のみ当該添削操作に基づく添削情報を入力する
ことを特徴とする請求項３に記載の添削端末。
【請求項５】
前記表示手段は、
前記要求の応答として前記添削管理サーバ装置から前記答案データと前記座標情報と添削対象領域情報とを受信して前記答案データを画面に表示する際に、前記座標情報を表示開始位置として前記答案データを画面に表示し、前記添削者の画面表示に対する操作を受けた場合、当該操作に応じて前記答案データを移動させて表示し、
前記入力手段は、
前記添削対象領域情報に示される範囲内において前記添削者の添削操作を受けた場合のみ当該添削操作に基づく添削情報を入力する
ことを特徴とする請求項３に記載の添削端末。
【請求項６】
解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末による前記答案データに対する添削を管理する添削管理サーバ装置とを備えた添削管理システムであって、
前記添削管理サーバ装置は、
前記答案データにおける前記複数の問題ごとの座標情報を前記問題の番号に対応付けて記憶する第１の記憶手段と、
前記添削端末に対応付けて前記添削端末の添削者が添削する前記問題の番号を記憶する第２の記憶手段と、
前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出す読出手段と、
前記読出手段が読み出した前記答案データと前記座標情報とを前記添削端末に送信する送信手段と、を備え、
前記添削端末は、
前記添削管理サーバ装置に、前記答案データの要求を送信する送信手段と、
前記要求の応答として前記添削管理サーバ装置から前記答案データと座標情報とを受信する受信手段と、
前記受信手段が受信する前記答案データを画面に表示する際に、前記座標情報を表示開始位置として前記答案データを画面に表示し、前記添削者の画面表示に対する操作を受けた場合、当該操作に応じて前記答案データを移動させて表示する表示手段と、
前記表示手段により画面に表示される答案データに対する前記添削者の添削操作を受け、当該添削操作に基づく添削情報を入力する入力手段と、
を備えたことを特徴とする添削管理システム。
【請求項７】
解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末による前記答案データに対する添削を管理する添削管理サーバ装置とを備えた添削管理システムにおける添削管理方法であって、
前記添削管理サーバ装置が、前記答案データにおける前記複数の問題ごとの座標情報を前記問題の番号に対応付けて第１の記憶手段に記憶させるステップと、
前記添削管理サーバ装置が、前記添削端末に対応付けて前記添削端末の添削者が添削する前記問題の番号を第２の記憶手段に記憶させるステップと、
前記添削端末が、前記添削管理サーバ装置に、前記答案データの要求を送信するステップと、
前記添削管理サーバ装置が、前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出すステップと、
前記添削管理サーバ装置が、読み出した前記答案データと前記座標情報とを前記添削端末に送信するステップと、
前記添削端末が、前記添削管理サーバ装置から前記答案データと座標情報とを受信するステップと、
前記添削端末が、受信した前記答案データを画面に表示する際に、前記座標情報を表示開始位置として前記答案データを画面に表示し、前記添削者の画面表示に対する操作を受けた場合、当該操作に応じて前記答案データを移動させて表示するステップと、
前記添削端末が、画面に表示される答案データに対する前記添削者の添削操作を受け、当該添削操作に基づく添削情報を入力するステップと、
を含むことを特徴とする添削管理方法。
【請求項８】
解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削管理サーバ装置のコンピュータに、
前記答案データにおける前記複数の問題ごとの座標情報を前記問題の番号に対応付けて第１の記憶手段に記憶させるステップと、
前記添削端末に対応付けて前記添削端末の添削者が添削する前記問題の番号を第２の記憶手段に記憶させるステップと、
前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出すステップと、
読み出した前記答案データと前記座標情報とを前記添削端末にて当該座標情報を表示開始位置として前記答案データが表示されるように前記添削端末に送信するステップと、
を実行させるための添削管理プログラム。
【請求項９】
解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削端末のコンピュータに、
前記要求の応答として前記添削管理サーバ装置から前記答案データと座標情報とを受信するステップと、
受信する前記答案データを画面に表示する際に、前記座標情報を表示開始位置として前記答案データを画面に表示し、前記添削者の画面表示に対する操作を受けた場合、当該操作に応じて前記答案データを移動させて表示するステップと、
前記画面に表示される答案データに対する前記添削者の添削操作を受け、当該添削操作に基づく添削情報を入力するステップと、
を実行させるための添削プログラム。
【発明の詳細な説明】
【技術分野】
【０００１】
本発明は、記述式の答案を電子的に読み取った画像データに対する添削に用いられる添削管理サーバ装置、添削端末、添削管理システム、及び添削管理方法並びに添削管理プログラム、添削プログラムに関する。
【背景技術】
【０００２】
従来、特許文献１に示されるように模擬試験等における記述式の問題に対して記載された答案の内容を電子的に画像データとして読み取り、当該画像データを用いてコンピュータ上において採点を行う技術が開示されている。
【０００３】
具体的には、特許文献１に示される技術では、電子的に読み取った画像データを問題ごとに分割して記憶させておき、採点時に、問題ごとに複数人分を読み出して採点を行うことを可能としている。
【特許文献１】特許第３５７９５９９号明細書
【発明の開示】
【発明が解決しようとする課題】
【０００４】
ところで、記述式の問題では、解答者は、答案用紙の空きスペースを用いて任意に解答を記入することができるため、問題番号１に対する解答であっても、問題番号１の解答が記入されると想定される空きスペースを越えて問題番号２の一部の空きスペースに問題番号１の解答を記入することが行われることがある。
【０００５】
しかしながら、上記の特許文献１に記載の技術では、問題ごとの解答欄が予め定められていることを前提として、問題ごとに画像データを予め分割して記憶させる構成となっているため、想定されるスペースを越えて記入された解答については、採点者が参照することができないという問題がある。
【０００６】
また、市場のニーズとして、答案に対して単に採点を行うだけではなく、答案の画像データに対して添削を行うことも望まれているが、特許文献１に示される技術では、添削を行うことができないという問題がある。
【０００７】
本発明は、上記問題を解決すべくなされたもので、その目的は、答案を電子的に読み取った画像データにおいて、想定されるスペースを越えて記入される解答を参照することができ、かつ、添削に関する情報を入力することを可能とする添削管理サーバ装置、添削端末、添削管理システム、及び添削管理方法並びに添削管理プログラム、添削プログラムを提供することにある。
【課題を解決するための手段】
【０００８】
上記問題を解決するために、本発明は、解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削管理サーバ装置であって、前記答案データにおける前記複数の問題ごとの座標情報を前記問題の番号に対応付けて記憶する第１の記憶手段と、前記添削端末に対応付けて前記添削端末の添削者が添削する前記問題の番号を記憶する第２の記憶手段と、前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出す読出手段と、前記読出手段が読み出した前記答案データと前記座標情報とを前記添削端末にて当該座標情報を表示開始位置として前記答案データが表示されるように前記添削端末に送信する送信手段と、を備えたことを特徴とする添削管理サーバ装置である。
【０００９】
また、本発明は、上記に記載の発明において、前記答案データにおいて、前記添削者が前記添削端末を操作することにより前記問題に対する添削を記入可能な添削対象領域情報を前記問題の番号ごとに記憶する第３の記憶手段を備え、前記読出手段は、前記添削端末からの要求を受信した場合、前記答案データ記憶装置から答案データを読み出すとともに、要求の送信元の前記添削端末に対応付けられる前記問題の番号を前記第２の記憶手段から読み出し、前記問題の番号に対応する座標情報を前記第１の記憶手段から読み出し、前記前記問題の番号に対応付けられる前記添削対象領域情報を前記第３の記憶手段から読み出し、前記送信手段は、前記読出手段が読み出した前記答案データと前記座標情報と前記添削対象領域情報とを前記添削端末にて前記座標情報を表示開始位置として前記答案データが表示されるように前記添削端末に送信することを特徴とする。
【００１０】
また、本発明は、解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削端末であって、前記要求の応答として前記添削管理サーバ装置から前記答案データと座標情報とを受信する受信手段と、前記受信手段が受信する前記答案データを画面に表示する際に、前記座標情報を表示開始位置として前記答案データを画面に表示し、前記添削者の画面表示に対する操作を受けた場合、当該操作に応じて前記答案データを移動させて表示する表示手段と、前記表示手段により画面に表示される答案データに対する前記添削者の添削操作を受け、当該添削操作に基づく添削情報を入力する入力手段と、を備えたことを特徴とする添削端末である。
【００１１】
また、本発明は、上記に記載の発明において、前記座標情報は、一定の範囲の領域を示す情報であり、前記表示手段は、前記受信手段が受信した前記座標情報により特定される領域を前記添削者が添削情報を入力できる添削対象領域として設定し、前記入力手段は、前記添削対象領域の範囲内において前記添削者の添削操作を受けた場合のみ当該添削操作に基づく添削情報を入力することを特徴とする。
【００１２】
また、本発明は、上記に記載の発明において、前記表示手段は、前記要求の応答として前記添削管理サーバ装置から前記答案データと前記座標情報と添削対象領域情報とを受信して前記答案データを画面に表示する際に、前記座標情報を表示開始位置として前記答案データを画面に表示し、前記添削者の画面表示に対する操作を受けた場合、当該操作に応じて前記答案データを移動させて表示し、前記入力手段は、前記添削対象領域情報に示される範囲内において前記添削者の添削操作を受けた場合のみ当該添削操作に基づく添削情報を入力することを特徴とする。
【００１３】
また、本発明は、解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末による前記答案データに対する添削を管理する添削管理サーバ装置とを備えた添削管理システムであって、前記添削管理サーバ装置は、前記答案データにおける前記複数の問題ごとの座標情報を前記問題の番号に対応付けて記憶する第１の記憶手段と、前記添削端末に対応付けて前記添削端末の添削者が添削する前記問題の番号を記憶する第２の記憶手段と、前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出す読出手段と、前記読出手段が読み出した前記答案データと前記座標情報とを前記添削端末に送信する送信手段と、を備え、前記添削端末は、前記添削管理サーバ装置に、前記答案データの要求を送信する送信手段と、前記要求の応答として前記添削管理サーバ装置から前記答案データと座標情報とを受信する受信手段と、前記受信手段が受信する前記答案データを画面に表示する際に、前記座標情報を表示開始位置として前記答案データを画面に表示し、前記添削者の画面表示に対する操作を受けた場合、当該操作に応じて前記答案データを移動させて表示する表示手段と、前記表示手段により画面に表示される答案データに対する前記添削者の添削操作を受け、当該添削操作に基づく添削情報を入力する入力手段と、を備えたことを特徴とする添削管理システムである。
【００１４】
また、本発明は、解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末による前記答案データに対する添削を管理する添削管理サーバ装置とを備えた添削管理システムにおける添削管理方法であって、前記添削管理サーバ装置が、前記答案データにおける前記複数の問題ごとの座標情報を前記問題の番号に対応付けて第１の記憶手段に記憶させるステップと、前記添削管理サーバ装置が、前記添削端末に対応付けて前記添削端末の添削者が添削する前記問題の番号を第２の記憶手段に記憶させるステップと、前記添削端末が、前記添削管理サーバ装置に、前記答案データの要求を送信するステップと、前記添削管理サーバ装置が、前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出すステップと、前記添削管理サーバ装置が、読み出した前記答案データと前記座標情報とを前記添削端末に送信するステップと、前記添削端末が、前記添削管理サーバ装置から前記答案データと座標情報とを受信するステップと、前記添削端末が、受信した前記答案データを画面に表示する際に、前記座標情報を表示開始位置として前記答案データを画面に表示し、前記添削者の画面表示に対する操作を受けた場合、当該操作に応じて前記答案データを移動させて表示するステップと、前記添削端末が、画面に表示される答案データに対する前記添削者の添削操作を受け、当該添削操作に基づく添削情報を入力するステップと、を含むことを特徴とする添削管理方法である。
【００１５】
また、本発明は、解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削管理サーバ装置のコンピュータに、前記答案データにおける前記複数の問題ごとの座標情報を前記問題の番号に対応付けて第１の記憶手段に記憶させるステップと、前記添削端末に対応付けて前記添削端末の添削者が添削する前記問題の番号を第２の記憶手段に記憶させるステップと、前記添削端末からの要求を受信した場合、前記答案データ記憶装置から答案データを読み出すとともに、要求の送信元の前記添削端末に対応付けられる前記問題の番号を前記第２の記憶手段から読み出し、読み出した問題の番号に対応する座標情報を前記第１の記憶手段から読み出すステップと、読み出した前記答案データと前記座標情報とを前記添削端末にて当該座標情報を表示開始位置として前記答案データが表示されるように前記添削端末に送信するステップと、を実行させるための添削管理プログラムである。
【００１６】
また、本発明は、解答者により複数の問題に対する解答が記入された答案用紙を電子的に読み取って生成される答案データを記憶する答案データ記憶装置と、前記問題の添削者により操作され、前記答案データを画面に表示する添削端末と、前記添削端末からの要求に応じて前記答案データ記憶装置から答案データを読み出し添削端末に送信する添削管理サーバ装置とを備えた添削管理システムにおける添削端末のコンピュータに、前記要求の応答として前記添削管理サーバ装置から前記答案データと座標情報とを受信するステップと、受信する前記答案データを画面に表示する際に、前記座標情報を表示開始位置として前記答案データを画面に表示し、前記添削者の画面表示に対する操作を受けた場合、当該操作に応じて前記答案データを移動させて表示するステップと、前記画面に表示される答案データに対する前記添削者の添削操作を受け、当該添削操作に基づく添削情報を入力するステップと、を実行させるための添削プログラムである。
【発明の効果】
【００１７】
この発明によれば、答案を電子的に読み取った画像データにおいて、想定されるスペースを越えて記入される解答を参照することができ、かつ、添削に関する情報を入力することが可能となる。
【発明を実施するための最良の形態】
【００１８】
以下、本発明の実施形態を図面を参照して説明する。
図１は、本実施形態による添削管理システム１を示す概略ブロック図である。
添削管理システム１は、例えば、多くの受験者が参加する模擬試験等の試験において、これらの受験者である解答者が解答を記入した答案用紙を電子的に読み取って画像データとしたものに対して複数の添削者が電子的な情報により添削を行う機能を提供する。答案用紙２００Ａ、２００Ｂ、２００Ｃ、…は、受験者により解答が手書きで記入された紙媒体に、受験者などを識別する識別シールが貼付されたものである。
【００１９】
図２は、未記入の状態の答案用紙２００を示した図であり、受験者のそれぞれに試験開始前に配布される識別シール２０１が、それぞれの受験者により答案用紙の下欄に添付される。当該識別シール２０１は、例えば、バーコードやＱＲ(Quick Response)コード（登録商標）などの２次元バーコードであり、受験者の受験番号と、受験者が受験する試験に対応する講座を示す講座番号と、これらの受験番号と講座番号との組み合わせに対して予め付与される一意に識別可能な管理番号の情報とが記憶されている。
【００２０】
受験カード２１０Ａ、２１０Ｂ、２１０Ｃ、…は、試験前に受験者に予め配布される、いわゆる受験票であり、図３は、ある受験者に配布された受験カード２００の詳細を示した図であり、テストの名称（×××テスト）、受験番号、氏名、所属の欄には、受験者への配布前に、登録されている情報に従って予め記載され、志望校の欄には、配布後に受験者により当該受験者の志望校の名称等が記入される。また、受験カード２１０にも、受験者のそれぞれに試験開始前に配布され、答案用紙に貼付されたものと同じ情報、すなわち受験番号と講座番号と管理番号とが記憶された識別シール２１１が受験者によって貼付される。これらの識別シール２０１及び識別シール２１１により、答案用紙２００Ａ、２００Ｂ、２００Ｃ、…と受験カード２１０Ａ、２１０Ｂ、２１０Ｃ、…とが対応付けられることになる。なお、以下の説明では、答案用紙２００Ａ、２００Ｂ、２００Ｃ、…に貼付される識別シールをそれぞれ識別シール２０１Ａ、２０１Ｂ、２０１Ｃ、…と記載し、受験カード２１０Ａ、２１０Ｂ、２１０Ｃ、…に貼付される識別シールをそれぞれ識別シール２１１Ａ、２１１Ｂ、２１１Ｃ、…と記載する。
【００２１】
添削管理システム１において、読取装置６０は、例えば、スキャナとバーコードリーダとを備えた構成の装置であり、答案用紙２００Ａ、２００Ｂ、２００Ｃ、…を画像データ（以下、答案データという）として読み取りつつ、答案用紙２００Ａ、２００Ｂ、２００Ｃ、…のそれぞれに貼付される識別シール２０１Ａ、２０１Ｂ、２０１Ｃ、…に記憶される情報を読み取り、読み取った情報と答案データとを対応付けて答案データ記憶装置６２に記録する。また、読取装置６０は、受験カード２１０Ａ、２１０Ｂ、２１０Ｃ、…を画像データ（以下、受験データという）として読み取りつつ、受験カード２１０Ａ、２１０Ｂ、２１０Ｃ、…のそれぞれに貼付される識別シール２１１Ａ、２１１Ｂ、２１１Ｃ、…に記憶される情報を読み取り、読み取った情報と受験データとを対応付けて受験データ記憶装置６２に記録する。
【００２２】
受験データ処理装置６３は、ＯＣＲ(Optical Character Recognition)などを内部に備えており、受験データ記憶装置６１に記憶される受験データから受験者により配布後に手書きされる志望校の情報をＯＣＲで読み取り、読み取った志望校の情報と当該受験データに対応付けられる管理番号、受験番号、講座番号、氏名、所属の情報を添削管理サーバ装置１０に送信する。
【００２３】
添削管理システム１において、添削端末１００、１０１、１０２、１０３、…は、答案用紙２００Ａ、２００Ｂ、２００Ｃ、…の添削を行う添削者により操作される端末であり、添削者が添削端末に備えられるペンにより添削端末の液晶ディスプレイに記入することにより手書き入力を行うことを可能とする端末である。ここで、以下、添削端末１００を例として内部構成を説明するが、他の添削端末１０１、１０２、１０３、…についても添削端末１００と同じ内部構成を有している。
【００２４】
添削端末１００は、送受信部３０、表示部３１、入力部３２、記憶部３３、登録部３４とを備えている。送受信部３０は、ネットワーク５０を通じて添削管理サーバ装置１０との間で答案データなどの送受信を行う。表示部３１は、例えば、液晶ディスプレイなどの画面を備えており入力部１３から入力される指示情報に基づく画面を表示する。入力部３２は、タッチパネルなどの液晶ディスプレイに備えられるペン入力の座標情報を検出するデバイスに接続されており、当該デバイスにより検出された座標情報に基づいて手書き入力の情報を入力し、また、座標情報に対応して表示部３１により画像データとして表示されているボタンの情報を検出し、検出したボタンに対応する指示情報の入力を行う。記憶部３３は、添削管理サーバ装置１０から送受信部３０を通じて受信した答案データなどを記憶し、また、入力部３２から入力される添削者による手書きの添削情報を答案データに付加して記憶する。登録部３４は、添削が完了し添削者の操作により入力部３２から指示情報が入力されると、記憶部３３に記憶される答案データと当該答案データに付加される添削情報を送受信部３０を通じて添削管理サーバ装置１０に送信する。
【００２５】
添削管理システム１において、添削管理サーバ装置１０は、答案データ記憶装置６２から答案データを読み出して添削端末１００、１０１、１０２、１０３、…に答案データを送信し、また、当該答案データを添削する添削者に対してどの問題を添削させるかなどの設定情報を記憶する。添削管理サーバ装置１０において、送受信部１９は、ネットワーク５０を介して複数の添削端末１００、１０１、１０２、１０３、…との間で答案データの送受信などの通信を行う。
【００２６】
読出部１１は、送受信部１９を通じて添削端末１００、１０１、１０２、１０３、…から受信する要求に応じて答案データ記憶装置６２から答案データを読み出す。また、読出部１１は、送受信部１９を通じて添削端末１００、１０１、１０２、１０３、…から受信する要求に応じて添削対象設定記憶部２０及び添削条件・状態記憶部２２に記憶される情報を読み出す。また、読出部１１は、読み出した答案データと添削対象設定記憶部２０及び添削条件・状態記憶部２２から読み出した情報とを送受信部１９を通じて添削端末１００、１０１、１０２、１０３、…に送信する。表示部１２は、例えば、液晶ディスプレイなどの画面を備えており、入力部１３から入力される指示情報に応じた画面表示を行う。
【００２７】
入力部１３は、マウスやキーボードが接続されており、添削管理サーバ装置１０を利用する管理者による操作を受けて、当該操作に対応する指示情報などを表示部１２、登録部１５に入力する。登録部１５は、入力部１３から入力される指示情報に応じて、例えば、表示部１２に表示される情報を添削対象設定記憶部２０に記録し、また、入力部１３からテキストデータ等が入力された場合、入力されたテキストデータ等を添削対象設定記憶部２０、あるいは添削条件・状態記憶部２２に記録する。
【００２８】
答案データ処理部１４は、受験データ処理装置６３から受信する情報に含まれる管理番号、講座番号、受験番号の組み合わせに対応するエントリを添削答案データ記憶部２３に生成し、生成したエントリに対して受験データ処理装置６３から受信する情報、すなわち受験者の氏名、所属、志望校の情報を記録する。また、答案データ処理部１４は、受験データ処理装置６３から受信する情報に含まれる管理番号、講座番号、受験番号を添削対象設定記憶部２０に記録する。
【００２９】
設定用答案データ記憶部２１は、答案データごとに添削対象の領域などを設定する際に、表示部１２により表示される、解答が未記入の状態の答案データ（以下、設定用答案データという）を試験の種別ごとに記憶する。
【００３０】
添削対象設定記憶部２０は、図４に示すデータ構成の添削対象設定データを試験を行う講座ごとに記憶している。当該データ構成において、「ファイル名」の項目には、それぞれの設定用答案データのファイルに付与されるファイル名が記憶される。「講座番号」の項目には、それぞれの試験ごとに予め付与される識別番号が記憶される。なお、当該講座番号は、上述した識別シール２０１及び識別シール２１１に記憶される講座番号の情報に対応する情報である。「講座情報」の項目には、当該試験を行う講座の名称が記憶される。「学年」の項目には、当該試験の対象としている学年を示す情報が記憶される。「得点」の項目には、当該試験の問題ごとの点数の合計、すなわち満点時の点数が記憶される。
【００３１】
「添削対象領域外記入可否」の項目には、「可」あるいは［否］の情報が記憶され、「可」場合には、後述する添削端末１００、１０１、…等を用いて添削者が答案データに対して添削を行う場合、予め設定される添削対象領域の範囲外に対する添削情報の入力が可能とされ、「否」の場合には、添削対象領域の範囲外に対する添削情報の入力が制限される。
【００３２】
「問題１得点」、「問題２得点」、「問題３得点」、…の項目には、当該試験の問題ごとの配点の情報が記憶される。「氏名マスク座標」には、当該試験の答案データが添削端末１００、１０１、…にて表示される際に、氏名の部分を表示させないようにするため、答案データにおける氏名の欄が存在する座標情報が記憶される。「問題１座標」、「問題２座標」、「問題３座標」、…には、当該試験の答案データにおける、それぞれの問題の問題文と解答が記入されると想定されるスペースとを含む領域を示す座標情報が記憶される。なお、「氏名マスク座標」及び「問題１座標」、「問題２座標」、「問題３座標」、…の４つの座標情報は、長方形の領域の左上の角のＸ座標とＹ座標、及び右下の角のＸ座標とＹ座標を示している。また、「問題１得点」、「問題２得点」、「問題３得点」、…の項目、及び「問題１座標」、「問題２座標」、「問題３座標」、…の項目は、問題数に応じて増減する項目である。また、添削対象設定記憶部２０に設定されるデータは、後述する添削対象設定処理において、ユーザの操作を介して設定される。
【００３３】
添削条件・状態記憶部２２は、図５に示すデータ構成の添削条件・状態データを記憶している。「管理番号」、「受験番号」、「講座番号」の項目には、答案データ処理部１４が受験データ処理装置６３から受信した管理番号、受験番号、講座番号の情報が答案データ処理部１４により記録される。
【００３４】
「添削者情報」には、添削を行う者の氏名の情報が記憶される。「添削端末ＩＤ」には、「添削者情報」に記憶される添削者が利用する添削端末１００、１０１、…に予め付与されている識別情報が記憶される。なお、添削管理サーバ装置１０は、「添削端末ＩＤ」に記憶される情報を参照し、ネットワーク５０を通じて、添削端末１００、１０１、…に答案データ及び当該答案データに対応する添削対象設定記憶部２０に設定される情報を送信する。
【００３５】
「添削種別」の項目には、「個別」あるいは「一括」の情報が記憶される。ここで、「個別」の情報の場合、問題別に添削者が割り当てられて、問題ごとの添削が行われることを示しており、「一括」の情報の場合、全ての問題の添削が、一人の添削者により行われることを示している。「問題番号」には、「添削種別」が「個別」の場合に、「添削者情報」に記憶される添削者により添削される問題番号が記憶される。「得点」の項目には、添削が行われた後に、添削者が採点した得点の情報が記憶される。なお、一括の場合、「得点」の項目には、問題番号ごとの得点が記憶される。「状態」は、添削が完了している場合には「済」が記憶され、完了していない場合には、空欄の状態とされる。なお、「添削端末ＩＤ」が０００１の行については、既に添削が完了した状態を示しており、０００２の行については、まだ添削が行われていない状態を示している。
【００３６】
添削答案データ記憶部２３は、図６に示すようなデータ構成を有している。「管理番号」、「受験番号」、「講座番号」、「氏名」、「所属」、「志望校１」、「志望校２」、「志望校３」の項目には、答案データ処理部１４が、受験データ処理装置６３から受信した情報が、答案データ処理部１４により記録される。
【００３７】
「合計点」、「問題１」、「問題２」、「問題３」、…の項目には、添削者に添削された際に採点される得点の情報が添削端末１００、１０１、…から送信され、送受信部１９により当該得点の情報が記録される。「スタンプ」の項目には、添削者に添削された際に添削者により選択される評価の情報が添削端末１００、１０１、…から送信され、送受信部１９により当該評価の情報が記録される。添削答案イメージデータ領域には、添削者に添削された際の添削情報が付加された答案データが添削端末１００、１０１、…から送信され、送受信部１９により当該添削情報が付加された答案データが記録される。
【００３８】
（添削管理サーバ装置における添削対象設定処理）
次に、図７及び図８を参照しつつ、添削管理サーバ装置１０による添削対象設定処理について説明する。最初に添削管理サーバ装置１０を利用する管理者が、入力部１３に接続されるマウスを操作して、入力部１３が設定画面表示指示を入力すると、表示部１２が図８に示す設定画面３００を画面に表示する（ステップＳａ１）。設定画面３００では、設定用答案データ記憶部２１に記憶される複数の答案データのファイル名が表示領域３１０に表示される。管理者が、入力部１３に接続されるマウスを操作して、答案データファイル名表示領域３１０に表示されているファイル名の１つを選択する。図８では、「00010103.tif」が選択された状態を示している。表示部１２は、答案データファイル名表示領域３１０にて選択されたファイル名に一致する設定用答案データを設定用答案データ記憶部２１から読み出し、答案データ表示領域３０１に設定用答案データを表示する（ステップＳａ２）。
【００３９】
次に、管理者は、入力部１３に接続されるキーボードなどを操作して、入力領域３０２の講座名称、学年、回数、得点の項目に、ファイル名「00010103.tif」に対応する情報を入力する（ステップＳａ３）。ここで、「学年」とは、試験の対象学年であり、「回数」とは、当該講座名称の講座における試験回数であり、「得点」とは、当該試験における合計点数のことを示す。
【００４０】
次に、管理者は、入力部１３に接続されるマウスを操作して、設定用答案データ内において問題ごとの領域を設定する。具体的に、「問題−１」に対して設定を行う場合、符号３０３で示される複数の「設定」のボタンの中から、設定対象の「問題−１」に対応する「設定」のボタンを選択した状態にて、答案データ表示領域３０１において、「問題−１」に対応する領域３０１−１をマウスで選択する。表示部１２は、マウスで選択された領域の座標情報を検出し、図８に示すように選択された領域３０１−１の左上の角の座標「００１５」「００１３」と、右下の座標「０４４３」「０２７０」とを位置情報表示領域３０４の「問題−１」に対応する表示枠に表示する。また、このとき、管理者は、「問題−１」に対する配点を、点数表示領域３０５の「問題−１」に対応する表示枠に入力する。図８では、「１２」点が入力された状態を示している。このようにして、答案データに含まれる全ての問題に対する表示領域の設定及び配点の設定を行う（ステップＳａ４）。なお、当該問題ごとの表示領域の設定及び配点の設定は、領域３１１の各問題に対応する「解除」ボタンを選択することで何度でもやり直すことが可能である。なお、本実施形態では、問題ごとに設定される表示領域が、添削者が添削端末１００、１０１、…において添削情報を入力可能な添削対象領域として設定されることになる。
【００４１】
次に、管理者は、氏名欄に対するマスク領域の設定を行う。具体的には、入力部１３に接続されるマウスにより「設定」のボタン３０６を選択した状態にて、答案データ表示領域３０１において、氏名欄の領域３０１−ｎをマウスで選択することにより行う。表示部１２は、マウスで選択された領域の座標情報を検出し、図８に示すように、氏名欄の領域３０１−ｎの左上の角の座標「０２７９」「００７５」と、右下の角の座標「０３９６」「００９９」を位置情報表示領域３０４に表示する（ステップＳａ５）。この操作により、添削端末１００、１０１、…にて当該答案データを受信した際に、氏名欄にマウスが重ねられた状態で表示されることになる。なお、当該氏名欄に対するマスク領域の設定も、「解除」のボタン３１２を選択することで何度でもやり直すことが可能である。
【００４２】
次に、管理者は、入力部１３に接続されるマウスを操作することにより、領域外記入可否領域３０９にて、「可」あるいは「否」のチェックボックスのいずれかを選択する（ステップＳａ６）。この設定により、問題ごとに個別に添削が行われる場合、問題ごとの表示領域、すなわち添削対象領域の範囲外での添削情報の入力の制限を行うことが可能となる。
【００４３】
最後に、管理者が、入力部１３に接続されるマウスを操作することにより、「登録」ボタン３０８を選択すると、登録部１５は、表示部１２にて表示されている情報を添削対象設定記憶部２０に記録する（ステップＳａ７）。そして、管理者の操作により、設定を行う答案データの全てについて設定が終了し、管理者により「終了」のボタン３１３が選択されると、表示部１２は設定画面３００の表示を終了する。
【００４４】
（添削端末における添削処理）
次に、図９から図１２を参照しつつ、添削端末１００、１０１、１０２、１０３、…における添削処理について説明する。以下では、添削端末１００を例とし、添削端末１００の処理について説明する。当該処理の前提として、添削管理サーバ装置１０において、管理者により、上述した添削対象設定記憶部２０に設定が行われているものとし、さらに、図５に示した添削条件・状態記憶部２２にも、管理者により予め添削端末ごとの設定が行われているものとする。
【００４５】
最初に、添削端末１００の添削者が、添削端末１００に備えられるペンを操作し、液晶ディスプレイの所定の座標に表示される開始ボタンなどを選択することで、入力部３２が答案データ選択画面表示指示を入力する。答案データ選択画面表示指示が入力されると表示部３１は、図１０に示す答案データ選択画面４００を表示部３１に接続される画面に表示する（ステップＳｂ１）。表示部３１は、送受信部３０を通じて添削管理サーバ装置１０に対して添削条件・状態記憶部２２に記憶されるデータの「添削端末ＩＤ」の項目に添削端末１００のＩＤが設定されているデータの検索を要求し、当該要求の応答として添削管理サーバ装置１０から受信したデータを表示領域４０１に一覧として表示する。表示領域４０１において、「管理番号」、「受験番号」、「講座番号」の列には、添削条件・状態記憶部２２から表示部３１により検索された情報が表示され、「Ｑ−１」〜「Ｑ−５」の列には、添削条件・状態記憶部２２の「得点」の項目に記録されている値が表示され、「合計」の列には、「Ｑ−１」〜「Ｑ−５」の合計値が表示される。「合計」の列の右側に表示される「済」は、添削条件・状態記憶部２２の「状態」の項目に記憶されている情報が表示される。
【００４６】
なお、図１０において、最下欄の答案データについては、「Ｑ−５」が存在してないことを示している。また、添削条件・状態記憶部２２の「添削種別」において「個別」が記録されている場合であって、当該添削者による割り当てられた問題の添削が完了している場合、「問題番号」の項目に記憶される問題番号に対応する「Ｑ−１」〜「Ｑ−５」のいずれかの項目に「得点」の項目に記憶される点数が表示され、「済」が表示されることになる。
【００４７】
次に、添削者は、添削端末１００のペンにより領域４０１に表示される添削対象のデータの中から１つ選択する（ステップＳｂ２）。図１０では、領域４０１の最上位のデータが選択されている例を示している。当該選択が行われている状態にて、添削者は、添削端末１００のペンにより、「入力」ボタン４０５を選択すると、添削端末１００の送受信部３０は、選択された最上位のデータに対応する「管理番号」、「受験番号」、「講座番号」を含む要求を添削管理サーバ装置１０に送信する。当該要求を送受信部１９により受信した添削管理サーバ装置１０の読出部１１は、答案データ記憶装置６２から、要求に含まれる「管理番号」、「受験番号」、「講座番号」に対応する答案データを読み出す。また、読出部１１は、当該要求に含まれる「講座番号」により特定される添削対象設定記憶部２０の添削対象設定データ及び当該「管理番号」、「受験番号」、「講座番号」により特定される添削条件・状態記憶部２２の「添削情報」と「問題番号」とを読み出し、読み出した答案データと添削対象設定記憶部２０に設定される情報と「添削情報」と「問題情報」とを対応付けて添削端末１００に送信する。添削端末１００の表示部３１は、添削管理サーバ装置１０から情報を受信すると図１１あるいは図１２に示すような添削画面５００Ａあるいは５００Ｂを表示する（ステップＳｂ３）。なお、以下の説明において、添削画面５００Ａあるいは５００Ｂに含まれる要素については同じ符号を付して説明を行う。
【００４８】
図１１は、添削条件・状態記憶部２２において「添削情報」の項目に「一括」が選択されている場合に添削端末１００において表示される添削画面５００Ａを示した図であり、図１２は、添削条件・状態記憶部２２において「添削情報」の項目に「個別」が選択されている場合であって、かつ「問題番号」の項目に「問題１」が設定されている場合の添削画面５００Ｂを示した図である。
【００４９】
図１１に示す添削画面５００Ａでは、一括添削、すなわち一人の添削者により全ての問題が添削されるため、答案データ表示領域５１０には、答案データの始めの部分から表示されている。表示領域５３０には、「講座」、「学年」、「回数」の項目には、当該答案データに対応する添削対象設定記憶部２０に記憶される添削対象設定データの「講座情報」、「学年」、「回数」の項目に記憶される情報が表示され、「受験番号」の項目には、図１０の答案データ選択画面４００にて選択された際の受験番号の情報が表示される。また、表示領域５３１には、添削端末１００が、添削管理サーバ装置１０から受信した「一括」あるいは「個別」を示す情報に基づく情報が表示される。図１１では、一括添削の場合が選択されているため「一括添削」が表示されている。
【００５０】
また、図１１において、氏名欄５１１には、当該答案データに対応する添削対象設定記憶部２０の添削対象設定データの「氏名マスク座標」の項目に設定されている座標情報に基づくマスクが表示される。これにより、受験者の氏名を添削者が参照できないことになり、例えば、受験者と添削者の間に何らかの関係があったとしても、添削者に公平に添削させることを可能とする。
【００５１】
一方、図１２は、個別添削、すなわち一人の添削者に対して問題別の添削をさせる場合に添削端末１００において表示される添削画面５００Ｂを示している。図１２において、図１１と異なる表示箇所は、答案データ表示領域５１０において、答案データの表示が「問題１」に対して設定されている添削対象領域５０１から表示が開始されている点である。当該表示は、具体的には以下のようにして行われる。まず、添削管理サーバ装置１０の読出部１１が添削条件・状態記憶部２２から当該添削端末１００の添削者に割り当てられている問題番号である「問題１」を読み出し、また、添削対象設定記憶部２０から講座番号に対応する添削対象設定データを読み出す。そして、添削端末１００が読出部１１が読み出した「問題１」を示す情報と添削対象設定データとを添削管理サーバ装置１０から受信し、添削端末１００の表示部３１が受信した添削対象設定データの「問題１座標」示される座標情報に基づいて、問題１に対応する添削対象領域５０１から答案データ表示領域５１０に表示する。
【００５２】
図１１及び図１２において、表示される答案データには解答者が記入した解答情報５０１Ａ−１、５０１Ａ−２、５０１Ａ−３、５０１Ａ−４が含まれており、解答情報５０１Ａ−３については、問題１の添削対象領域５０１を超えて記載が行われている。図１１に示す一括添削の場合には、添削者は、問題１から順に全ての問題を添削するため、縦のスクロールバー６０１等を上下に移動させることで、全ての答案データを参照することができる。一方、図１２に示す個別添削の場合には、添削者は、問題１のみが添削対象であるが、問題１の解答が添削対象領域５０１を超えて記載されている場合であっても、縦のスクロールバー６０１等を上下に移動させることで、添削者は、問題１に対する解答を全て参照することができる。
【００５３】
次に、添削端末１００の登録部３４は、添削者がペンにより添削画面５００Ａあるいは５００Ｂにおいて「確定」ボタン５２０が選択されたか否かを判定する（ステップＳｂ４）。選択されていない場合、入力部３２は、答案データ表示領域５１０において、添削者のペン操作による添削の入力を検出し、検出した入力に従って記憶部３３に添削情報を付加するとともに、表示部３１により答案データに添削情報が付加されて表示される（ステップＳｂ５）。次に、図１２に示す添削画面５００Ｂの場合、すなわち当該答案データに対する添削対象設定記憶部２０の「添削対象領域外記入可否」の情報に「否」が記憶されており、かつ添削条件・状態記憶部２２に「問題１」の「個別」が記憶されている場合、添削端末１００の入力部３２は、添削者のペン操作による入力が問題１の添削対象領域５０１の範囲内であるか否かを判定する（ステップＳｂ６）。添削対象領域５０１の範囲内の入力の場合には、記憶部３３に添削情報を付加し（ステップＳｂ７）、添削対象領域５０１の範囲外の入力の場合には、当該入力に関する情報を廃棄し、ステップＳｂ４に戻る。
【００５４】
ステップＳｂ４において、登録部３４は、添削者がペンにより添削画面５００Ａあるいは５００Ｂにおいて「確定」ボタン５２０が選択されたと判定した場合、記憶部３３に記憶される答案データと当該答案データに付加された添削情報と当該答案データの管理番号とを対応付け、送受信部３０を通じて添削管理サーバ装置１０に送信する。添削管理サーバ装置１０の送受信部１９は、添削端末１００から答案データと添削情報と管理番号とを受信すると、受信した管理番号に一致する添削答案データ記憶部２３のエントリを検索し、検索したエントリの添削済答案データ領域に受信した答案データと添削情報とを記録する（ステップＳｂ８）。このような処理が、他の添削端末１０１、１０２、１０３、…により行われることで、添削管理サーバ装置１０の添削答案データ記憶部２３には、全ての受験者の添削済み、すなわち答案データと添削情報とが記憶されることになる。
【００５５】
なお、上記の添削情報には、図１１に示す一括添削の場合には、問題ごとに設けられる採点入力欄５１２−１〜５１２−３に添削者のペン操作により入力される得点の情報と、その合計点の情報が含まれ、図１２に示す個別添削の場合には、添削を行った問題、例えば図１２の例では、問題１に対する採点入力欄５１２−１に入力される得点の情報が含まれる。また、当該添削情報には、図１１に示されるスタンプ欄５１３にて添削者のペン操作により選択される解答に対する評価のランクを示した文字情報も含まれる。これらの情報は、添削者が「確定」ボタン５２０を選択する前に、入力あるいは選択されるものとする。
【００５６】
また、上記の添削管理サーバ装置１０において、答案データごとの模範解答データを記憶させておき、図１１及び図１２の添削画面５００Ａ及び５００Ｂにおいて、模範解答表示５２１が添削者のペン操作により選択されると、添削端末１００の表示部３１が、他のウインドウの表示を開始し、当該ウインドウ内に模範解答データを表示するようにしてもよい。
【００５７】
上記の実施形態の構成により、添削端末１００、１０１、１０２、１０３、…では、解答者により手書きで記入される解答が、解答が記入されると想定される領域外に記載された場合であっても、答案用紙自体を画像データとして答案データの全てを添削端末１００、１０１、１０２、１０３、…が受信しているため、スクロールバー等により上下、左右に移動させることで領域外に記載された場合であっても添削者が参照することができる。
【００５８】
また、上記の実施形態の構成により個別添削の場合に、添削者が入力を行うことができる領域を各問題の添削対象領域に制限することで、答案データに対する個別添削された全ての添削情報を１つの答案データに対して付加した場合であっても、添削情報が重なって表示されることがなく、添削された答案を参照する解答者にとって添削された内容を明瞭に参照することが可能となる。
【００５９】
また、上記の実施形態の構成における添削処理において個別添削の場合、添削答案データ記憶部２３の添削済答案データ領域には、答案データに添削情報が付加された情報が、問題ごとに記憶される構成となるが、本発明は、当該実施形態に限られず、添削端末１００、１０１、１０２、１０３、…にて個別添削が行われた場合に、答案データと添削情報を分けて記憶しておき、添削答案データ記憶部２３には、答案データが１つと、各問題ごとの添削情報が記憶されるようにしてもよい。
【００６０】
また、上記の実施形態において、添削管理サーバ装置１０に設定用答案データ記憶部２１を備えることとしているが、設定用答案データ記憶部２１を備えずに、例えば、読取装置６０から解答が未記入の状態の答案用紙を読み取らせ、読み取らせた答案データに対して直接、添削対象の領域の設定をするようにしてもよい。
【００６１】
また、上記の実施形態において、問題ごとの表示領域と添削対象領域とを同じ領域としているが、本発明は、当該実施形態に限られず、問題ごとの表示領域とは別に添削対象領域を設定するようにしてもよく、その場合、添削対象領域の座標情報を記憶する記憶領域が設けられることになる。ここで、当該添削対象領域の座標情報を記憶する記憶領域は、本発明に記載の第３の記憶手段に対応する。
【００６２】
また、上記の実施形態において、問題ごとの添削対象領域を特定するために、左上の角の座標情報と、右下の角の座標情報とを添削対象設定記憶部２０に設定するようにしているが、本発明は、当該実施形態には限られず、例えば、問題ごとに左上の角の座標情報のみを記憶させておくようにしてもよく、また、領域の４つの角あるいはそれ以上の領域の範囲を特定する座標情報を記憶させておくようにしてもよい。
【００６３】
また、上記の実施形態では、複数の問題及び解答記入欄を有する答案用紙を使用する場合について説明したが、本発明は、当該実施形態の構成に限られず、問題が１問だけの場合にも利用することが可能である。
【００６４】
また、上記の実施形態では、識別シールを使用して答案用紙のデータと受験カードのデータの対応付けを行っているが、本発明は、当該実施形態の構成に限られず、答案用紙と受験カードに受験者により記入された受験番号、氏名、学校を示すコードをＯＣＲまたはＯＭＲ（Optical Mark Recognition）で読み取り、その情報に基づいて対応付けを行うようにしてもよい。
【００６５】
また、本発明に記載の添削管理サーバ装置に係る第１の記憶手段は、添削対象設定記憶部２０に対応し、第２の記憶手段は、添削条件・状態記憶部２２に対応する。
【００６６】
上述の添削管理サーバ装置１０及び添削端末１００、１０１、１０２、１０３、…は内部に、コンピュータシステムを有している。そして、上述した添削対象設定処理及び添削処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００６７】
【図１】本実施形態における添削管理システムを示すブロック図である。
【図２】同実施形態における答案用紙の構成を示した図である。
【図３】同実施形態における受験カードの構成を示した図である。
【図４】同実施形態における添削対象設定記憶部のデータ構成を示した図である。
【図５】同実施形態における添削条件・状態記憶部のデータ構成を示した図である。
【図６】同実施形態における添削答案データ記憶部のデータ構成を示した図である。
【図７】同実施形態における添削管理サーバ装置による添削対象設定処理を示したフローチャートである。
【図８】同実施形態における添削管理サーバ装置の画面に表示される設定画面を示した図である。
【図９】同実施形態における添削端末により添削処理を示したフローチャートである。
【図１０】同実施形態における添削端末の画面に表示される答案データ選択画面を示した図である。
【図１１】同実施形態における添削端末の画面に表示される一括添削の場合の添削画面を示した図である。
【図１２】同実施形態における添削端末の画面に表示される個別添削の場合の添削画面を示した図である。
【符号の説明】
【００６８】
１    添削管理システム
１０  添削管理サーバ装置
１１  読出部
１２  表示部
１３  入力部
１４  答案データ処理部
１５  登録部
１９  送受信部
２０  添削対象設定記憶部
２１  設定用答案データ記憶部
２２  添削条件・状態記憶部
２３  添削答案データ記憶部
１００、１０１、１０２、１０３  添削端末
３０  送受信部
３１  表示部
３２  入力部
３３  記憶部
３４  登録部
６０  読取装置
６１  受験データ記憶装置
６２  答案データ記憶装置
６３  受験データ処理装置
【図１】
2008046398.tif 000003
【図２】
2008046398.tif 000004
【図３】
2008046398.tif 000005
【図４】
2008046398.tif 000006
【図５】
2008046398.tif 000007
【図６】
2008046398.tif 000008
【図７】
2008046398.tif 000009
【図８】
2008046398.tif 000010
【図９】
2008046398.tif 000011
【図１０】
2008046398.tif 000012
【図１１】
2008046398.tif 000013
【図１２】
2008046398.tif 000014